(57)【要約】【課題】  １つのスタンド部材の操作で容易に設置角度を変更することができ、かつ、多段階の角度設定構造を提供する。【解決手段】  所定の卓上機器の筐体と、前記卓上機器と係合し前記卓上機器を保持するスタンド部材から成る、前記卓上機器を設置する際の角度設定構造であって、前記スタンド部材は、前記卓上機器と回転自在に係合する回動部と、前記卓上機器に挿入される所定の端部に設けられた１以上の第一の磁石とを有し、前記卓上機器は、前記スタンドと回転自在に係合する回動部と、前記スタンド部材の所定の端部が挿入される複数の挿入孔の各々に設けられた第一の磁石とは極性の異なる第二の磁石を有する。【選択図】    図１
2015076626.tif 000002
【特許請求の範囲】
【請求項１】
所定の卓上機器の筐体と、前記卓上機器と係合し前記卓上機器を保持するスタンド部材から成る、前記卓上機器を設置する際の角度設定構造であって、
前記スタンド部材は、前記卓上機器と回転自在に係合する回動部と、前記卓上機器に挿入される所定の端部に設けられた１以上の第一の磁石とを有し、
前記卓上機器は、前記スタンドと回転自在に係合する回動部と、前記スタンド部材の所定の端部が挿入される複数の挿入孔の各々に設けられた第一の磁石とは極性の異なる第二の磁石を有することを特徴とする多段階設定構造。
【発明の詳細な説明】
【技術分野】
【０００１】
本発明は、卓上機器を卓上で使用する際に、卓上機器の設置角度を多段階に設定できる角度設定構造に関する。
【背景技術】
【０００２】
従来の卓上機器の設置角度設定構造として、筺体底部にベース部材とスタンド部材とを有し、ベース部材とスタンド部材とを嵌合させることで設置角度を設定する構造がある（例えば、特許文献１）。
【０００３】
しかしながら、特許文献１において、卓上機器が持ち上げられた際の設置角度を保持するために、ベース部材とスタンド部材との嵌合は強嵌合していなければならず、スタンドの端部とベース部材を嵌合させるためにある程度の力が必要であり、使用者が卓上機器の設置角度を変更し難い。また、ベース部材とスタンド部材との嵌合部が摩耗し、卓上機器を持ち上げた際に設置角度を保持出来なくなるという不便があった。
【先行技術文献】
【特許文献】
【０００４】
【特許文献１】特開２００４−２６６０８７号公報
【発明の概要】
【発明が解決しようとする課題】
【０００５】
本発明は、上記の課題を解決するために、卓上機器の設置角度を設定するために必要な部位の嵌合による摩耗を防ぎつつ、単純な操作のみで卓上機器の設置角度を簡易に保持できる多段階の角度設定構造を提供することにある。
【課題を解決するための手段】
【０００６】
上記の課題を解決するために、本発明は、所定の卓上機器の筐体と、前記卓上機器と係合し前記卓上機器を保持するスタンド部材から成る、前記卓上機器を設置する際の角度設定構造であって、前記スタンド部材は、前記卓上機器と回転自在に係合する回動部と、前記卓上機器に挿入される所定の端部に設けられた１以上の第一の磁石とを有し、前記卓上機器は、前記スタンドと回転自在に係合する回動部と、前記スタンド部材の所定の端部が挿入される複数の挿入孔の各々に設けられた第一の磁石とは極性の異なる第二の磁石を有することを特徴とする。
【発明の効果】
【０００７】
本発明によれば、卓上機器の筐体にスタンド部材をスムースに挿入し係合することで摩耗を防ぎつつ、単純な操作のみで卓上機器の設置角度を簡易に保持する多段階の角度設定構造を提供できる。
【図面の簡単な説明】
【０００８】
【図１】（ａ）本発明の実施の一形態に係る卓上機器設置角度の多段階設定構造の構成を示す斜視図            （ｂ）本発明の実施の一形態に係る多段階設定構造部の拡大図
【図２】スタンド部材の斜視図
【発明を実施するための形態】
【０００９】
以下に、図面を参照しながら、本発明の実施の一形態について説明する。
【００１０】
図１は（ａ）に本発明の実施の一形態に係る卓上機器１の設置角度の多段階設定構造の構成を示す斜視図を示し、（ｂ）に多段階設定構造部の拡大図Ａを示す。図１（ａ）の筐体は、卓上機器１とスタンド部材２から構成されており、図１（ｂ）の卓上機器１とスタンド部材２の係合部は、スタンド部材２に設けられた第一の磁石２０と、卓上機器１の凹部１０に設けられた第二の磁石１１〜１３から構成されている。スタンド部材２に設けられた第一の磁石２０は、卓上機器の凹部１０に挿入され、第二の磁石１１〜１３の磁石と係合することで設置角度を設定する。角度設定の動作の詳細については後述する。
【００１１】
ここで、第一の磁石２０と凹部１０との間には摩擦が発生しない程度の隙間があり、凹部１０は第一の磁石２０が挿入される際の障害とならないものとする。
【００１２】
図２はスタンド部材２の斜視図を示す。スタンド部材２は、卓上機器１に係合する側の先端に第一の磁石２０が設けられている。第一の磁石２０は、卓上機器１の凹部１０に挿入されて、卓上機器１の第二の磁石１１〜１３に係合する。ここで、第一の磁石２０と第二の磁石１１〜１３が磁力で引きつけ合う力は、スタンド部材２が自重により落下する力よりも強いものとして、卓上機器１の凹部１０との係合を保持する。
【００１３】
次に、操作者がスタンド部材２と卓上機器１との係合を解除し、設置角度を変更する場合について、図１を用いて説明する。まず、図１（ｂ）に示すスタンド部材２に設けられた第一の磁石２０が、卓上機器１の凹部１０に設けられた第二の磁石１１と、磁力で引き付け合い係合している。この状態では、磁力により第一の磁石２０と、第二の磁石１１との係合が自然に解除されることは無く、スタンド部材２の角度は保持される。
【００１４】
スタンド部材２と卓上機器１との係合を解除する場合は、卓上機器１と係合しているスタンド部材２を、方向Ｄに向かって第一の磁石２０と第二の磁石１１の磁力による引き付け合う力以上の力で引っ張ることで係合を解除し、スタンド部材２を回動する。ここで、スタンド部材２は回転方向ＢまたはＣいずれの方向に回動させることが可能である。
【００１５】
スタンド部材２を回動して角度を設定した後に、スタンド部材２を方向Ｄへ引っ張る操作を止めると、第一の磁石２０は第二の磁石１２または第二の磁石１３の方向に磁力により引き付けられることにより、卓上機器１とスタンド部材２が再び係合し、設置角度が保持される。
【００１６】
以上、本実施例の発明について説明した。本実施例では、卓上機器１に設けられたスタンド部材２と係合する複数の磁石と、スタンド部材２に設けられた卓上機器１に設けられた複数の磁石とは極性が異なる磁石が磁力により引き付けられ係合し、角度の設定がなされる。
【００１７】
これにより、多段階の角度設定をするためには卓上機器１に係合しているスタンド部材２を、卓上機器１と係合している方向とは逆方向へ引っ張ることにより係合を解除し、使用者が設定する角度へスタンド部材２を回動させ、角度設定位置でスタンド２の引っ張る操作を止めることによって、卓上機器１とスタンド部材２が再度磁力により引き付け合い係合し、複数の設置角度を設定することができる。
【００１８】
尚、本発明は上記で説明した本実施例に限定されず、発明の趣旨を逸脱しない範囲において様々な変更が可能である。例えば、本実施例の卓上機器１に設けられた磁石は、三箇所の磁石で表現しているが、設ける磁石の数に限定されるものではなく、卓上機器１に設ける磁石の数を設定する設置角度数に応じて増減させても、本発明を実施することが可能である。
【００１９】
また、本実施例の卓上機器１とスタンド部材２に設けられた磁石は矩形形状で表現しているが、互いに磁力により引き付け合い係合する構造であれば、球状や湾曲した形状など磁石の形状に限らず、本発明を実施することが可能である。
【符号の説明】
【００２０】
１    卓上機器
１０  スタンド部材の凸部を挿入する凹部
１１〜１３  第二の磁石
２    スタンド部材
２０  第一の磁石
【図１】
2015076626.tif 000003
【図２】
2015076626.tif 000004